(57)【要約】      （修正有）【課題】少なくとも一つ以上のフレキシブルパッチ型電極部のそれぞれが人体に接触しているのかどうかをリアルタイムで感知し自動制御を遂行する絶縁されたフレキシブルパッチ型電極を利用した多関節高周波治療装置を提供する。【解決手段】人体接触レイヤー、伝導性の布レイヤー及び人体非接触レイヤーが順次に積層される構造を持つフレキシブルパッチ型電極部１１０ａ、１１０ｂ；及び伝導性の布レイヤーと高圧ケーブルとの間に形成され、高圧ケーブルを伝導性の布レイヤーの伝導性布に対する駆動制御を遂行する制御部１２０；を含み、制御部は、伝導性の布レイヤーによる人体負荷の適用の有無を判別する人体負荷フィードバック制御回路モジュールを搭載する。【選択図】図１
2015226747.tif 000002
【特許請求の範囲】
【請求項１】
フレキシブルに形成され、人体接触レイヤー（１１１）、伝導性の布レイヤー（１１２）、人体非接触レイヤー（１１３）、そして高圧ケーブル（１１４）に区分され、人体接触レイヤー（１１１）、伝導性の布レイヤー（１１２）及び人体非接触レイヤー（１１３）が順次に積層される構造を持つフレキシブルパッチ型電極部（１１０）；及び
伝導性の布レイヤー（１１２）と高圧ケーブル（１１４）との間に形成され、高圧ケーブル（１１４）を伝導性の布レイヤー（１１２）の伝導性布（１１２ａ）に対する駆動制御を遂行する制御部（１２０）；を含み、
制御部（１２０）は、伝導性の布レイヤー（１１２）による人体負荷の適用有無を判別する人体負荷フィードバック制御回路モジュール（１２１）を搭載して少なくとも一つ以上のフレキシブルパッチ型電極部（１１０）それぞれが人体に接触しているのかどうかをリアルタイムで感知して自動制御を遂行することを特徴とする絶縁されたフレキシブルパッチ型電極を利用した多関節高周波治療装置。
【請求項２】
請求項１において、人体負荷フィードバック制御回路モジュール（１２１）は、
人体負荷の適用有無判別を遂行して、高周波信号出力の有無を自動で制御して、第１フレキシブルパッチ型電極部（１１０ａ）及び第２フレキシブルパッチ型電極部（１１０ｂ）を含むフレキシブルパッチ型電極部（１００）が多機能治療保護帯として機能し人体多関節に適用可能な高周波治療装置として提供されるようにすることを特徴とする絶縁されたフレキシブルパッチ型電極を利用した多関節高周波治療装置。
【請求項３】
請求項１において、人体接触レイヤー（１１１）は、
医療用ＰＶＣ（ＰｏｌｙＶｉｎｙｌ  Ｃｈｌｏｒｉｄｅ）及び無毒性の非伝導ゴム類の材質のうち少なくとも一つ以上を含んで形成され、厚さは０．５ｍｍで形成されて伝導性の布レイヤー（１１２）が人体の皮膚と密着する多機能治療保護帯の機能を遂行するために形成されることを特徴とする絶縁されたフレキシブルパッチ型電極を利用した多関節高周波治療装置。
【請求項４】
請求項３において、
人体接触レイヤー（１１１）の医療用ＰＶＣは塩化ビニール樹脂１００重量部に対し可塑剤３０から８０重量部、スチルベンオキシド１から３重量部を含有して、
人体接触レイヤー（１１１）の無毒性の非伝導ゴム類は弾性ゴムで硬度がＳｈｏｒｅＡ６０以下、電気抵抗が１０１２Ω以上のものを使用し、合成ゴム、天然ゴム、またはシリコンゴムのうちのどれか一つが利用されることを特徴とする絶縁されたフレキシブルパッチ型電極を利用した多関節高周波治療装置。
【請求項５】
請求項３において、人体非接触レイヤー（１１３）は、
医療用ＰＶＣ（ＰｏｌｙＶｉｎｙｌ  Ｃｈｌｏｒｉｄｅ）及び無毒性の非伝導ゴム類の材質のうち少なくとも一つ以上を含んで形成され、厚さは人体接触レイヤー（１１１）と対照的に厚さの制限無く形成されることを特徴とする絶縁されたフレキシブルパッチ型電極を利用した多関節高周波治療装置。
【請求項６】
請求項３において、伝導性の布レイヤー（１１２）は、
伝導性布（１１２ａ）及び銅ホイールストリップ（１１２ｂ）を含み、複数の銅ホイールストリップ（１１２ｂ）の間の伝導性布（１１２ａ）はあらかじめ設定された圧力下で維持される構造を持ち、
人体負荷フィードバック制御回路モジュール（１２１）内部の比較器回路（１２１ａ）は、
複数の銅ホイールストリップ（１１２ｂ）と電気的に連結された構造を持つことを特徴とする絶縁されたフレキシブルパッチ型電極を利用した多関節高周波治療装置。
【請求項７】
請求項６において、
伝導性布（１１２ａ）に対する引張負荷に伴う外力（Ｆ）の適用は伝導性布（１１２ａ）内の応力を引張させて、伝導性布（１１２ａ）内の応力引張はポリマーコーティング構造の伝導性布（１１２ａ）の電気抵抗を変化させるのに伴い、
比較器回路（１２１ａ）は電気抵抗の変化を電圧源を利用して測定することを特徴とする絶縁されたフレキシブルパッチ型電極を利用した多関節高周波治療装置。
【請求項８】
制御部（１２０）が伝導性の布レイヤー（１１２）に対し人体負荷の適用の有無を判別する人体負荷フィードバック制御回路モジュール（１２１）により第１フレキシブルパッチ型電極部（１１０ａ）及び第２フレキシブルパッチ型電極部（１１０ｂ）それぞれが人体に接触しているのかどうかをリアルタイムで感知する第１段階；
フィードバック制御回路モジュール（１２１）が人体負荷に該当する人体負荷の適用有無を判別する第２段階；及び
人体負荷が適用または未適用の判別に従いフィードバック制御回路モジュール（１２１）が第１フレキシブルパッチ型電極部（１１０ａ）及び第２フレキシブルパッチ型電極部（１１０ｂ）の内部にそれぞれ構成された伝導性の布レイヤー（１１２）を通して高周波信号出力の有無を自動的に制御する第３段階；を含むことを特徴とする絶縁されたフレキシブルパッチ型電極を利用した多関節高周波治療装置に基づいた人体負荷フィードバック制御による高周波治療方法。
【請求項９】
請求項８において、上記の第１段階は、
人体負荷フィードバック制御回路モジュール（１２１）が伝導性布（１１２ａ）及び複数の銅ホイールストリップ（１１２ｂ）を含む伝導性の布レイヤー（１１２）に対して複数の銅ホイールストリップ（１１２ｂ）の間の伝導性布（１１２ａ）はあらかじめ設定された圧力下で維持される構造で伝導性布（１１２ａ）内の応力引張の変化に伴うポリマーコーティング構造の伝導性布（１１２ａ）の電気抵抗の変化を通じて人体に接触しているのかどうかに対する感知を遂行するのを特徴とする絶縁されたフレキシブルパッチ型電極を利用した多関節高周波治療装置に基づいた人体負荷フィードバック制御による高周波治療方法。
【請求項１０】
請求項９において、上記の第１段階の電気抵抗の変化の感知は、
人体負荷フィードバック制御回路モジュール（１２１）内の比較器回路（１２１ａ）により遂行され、電気抵抗の変化は外力（Ｆ）によって発生する応力と連携する抵抗の変化として表われ、比較器回路（１２１ａ）は抵抗の変化を電圧源を利用して測定するのを特徴とする絶縁されたフレキシブルパッチ型電極を利用した多関節高周波治療装置に基づいた人体負荷フィードバック制御による高周波治療方法。
また。上記の第２段階は、フィードバック制御回路モジュール（１２１）が電気抵抗の変化があらかじめ設定された臨界値以上の場合、人体負荷の適用として判断し、電気抵抗の変化があらかじめ設定された臨界値未満の場合、人体負荷の未適用として判断することが望ましい。
【発明の詳細な説明】
【技術分野】
【０００１】
本発明は絶縁されたフレキシブルパッチ型電極を利用した多関節高周波治療装置、またこれに基づいた人体負荷フィードバック制御による高周波治療方法に関するものであり、より具体的には、フレキシブルなパッド形態の電極部を持ち、人体負荷の適用有無を判別するパッドとの相互作用によって人体に接触しているのかどうかをリアルタイムで感知して高周波信号発生による多関節高周波治療に対する自動制御を遂行するようにするための絶縁されたフレキシブルパッチ型電極を利用した多関節高周波治療装置、そしてこれに基づいた人体負荷フィードバック制御による高周波治療方法に関するものである。
【背景技術】
【０００２】
高周波の電流（以下、高周波信号）を利用した技術は電波通信の用途だけでなく人体に対する深部熱を利用できる電気物理学的な特性によってその応用度が大きく浮び上がっている。
【０００３】
この時、高周波信号はイオン化されたエネルギーでない非イオン化されたエネルギーで特別な場合を除いては生体組織を破壊せずに身体の深部に熱を発生するので毛髪成長促進、痛みの治療（五十肩、関節痛、筋肉痛など）、血液循環促進、痔の治療、痛みの緩和、癌細胞増殖の抑制、肥満管理（体脂肪分解）、にきび除去、シミ除去、充血、眼球乾燥症の改善などに利用されている。
【０００４】
このように高周波信号を利用した高周波治療器は一般的に高周波を発生する本体、本体にケーブルで連結されて人体に接触して本体から供給される高周波電流を人体に認可するための治療電極棒、及び、治療電極棒と反対電位を持って本体とケーブルで連結され高周波信号が人体に通電できるように構成された治療電極部から構成される。
【０００５】
このような、従来の高周波治療器で治療電極部と治療電極棒の間には治療を受けようとする患者の治療部位が置かれ、本体から高周波信号が出力される場合は出力された高周波信号が人体を通電しながら深部熱を発生させることになる。
【０００６】
しかしこのように電極部と直接的に人体が触れ合う場合、接触による拒否反応ないしは放電によるスパーク（ｓｐａｒｋ）発生によって火傷などの人体傷害が発生するというような問題が起きてきた。
【先行技術文献】
【特許文献】
【０００７】
【特許文献１】韓国特許第１０−２００７−００９８２９２号公報
【特許文献２】韓国特許第１０−２００９−０１３０３３７号公報
【発明の概要】
【発明が解決しようとする課題】
【０００８】
本発明は上記の問題点を解決するためのもので、フレキシブルなパッド形態の電極部で構成することで人体との密着度及び着用感を向上させて、医療用ＰＶＣ及び無毒性の非伝導ゴム類の絶縁シートを活用して電極部の両側を絶縁できるようにすることによって、人体との接触による拒否反応及び放電によるスパーク（ｓｐａｒｋ）による人体傷害を予防するための絶縁されたフレキシブルパッチ型電極を利用した多関節高周波治療装置、そしてこれに基づいた人体負荷フィードバック制御による高周波治療方法を提供するものである。
【０００９】
また、本発明はフレキシブルなパッド内部の電極部を布の電極部として形成することによって、パッドの成形に伴う形状構造を可変的に製造したり、製造後に変形できるようにすることによって、人体適用の限界が克服できるようにし、どのように曲げても損傷しないようにするための絶縁されたフレキシブルパッチ型電極を利用した多関節高周波治療装置、そしてこれに基づいた人体負荷フィードバック制御による高周波治療方法を提供するためのものである。
【００１０】
しかし本発明の目的は上記で言及した目的に制限されず、言及されなかった他の目的は下記の記載から当業者に明確に理解されるはずである。
【課題を解決するための手段】
【００１１】
上記の目的を達成するために本発明の実施例による絶縁されたフレキシブルパッチ型の電極を利用した多関節高周波治療装置は、フレキシブルに形成され、人体接触レイヤー（１１１）、伝導性の布レイヤー（１１２）、人体非接触レイヤー（１１３）、そして高圧ケーブル（１１４）に区分され、人体接触レイヤー（１１１）、伝導性の布レイヤー（１１２）及び人体非接触レイヤー（１１３）が順次に積層される構造を持つフレキシブルパッチ型の電極部（１１０）；及び伝導性の布レイヤー（１１２）と高圧ケーブル（１１４）との間に形成され、高圧ケーブル（１１４）を伝導性の布レイヤー（１１２）の伝導性布（１１２ａ）に対する駆動制御を遂行する制御部（１２０）；を含み、制御部（１２０）は、伝導性の布レイヤー（１１２）による人体負荷の適用有無を判別する人体負荷フィードバック制御回路モジュール（１２１）を搭載して少なくとも一つ以上のフレキシブルパッチ型電極部（１１０）のそれぞれが人体に接触しているのかどうかをリアルタイムで感知して自動制御を遂行する。
【００１２】
この時、人体負荷フィードバック制御回路モジュール（１２１）は、人体負荷の適用有無判別を遂行し、高周波信号出力の有無を自動で制御して、第１フレキシブルパッチ型電極部（１１０ａ）及び第２フレキシブルパッチ型電極部（１１０ｂ）を含むフレキシブルパッチ型電極部（１００）が多機能の治療保護帯として機能して人体の多関節に適用可能な高周波治療装置として提供されるようにすることが望ましい。
【００１３】
また、人体接触レイヤー（１１１）は、医療用ＰＶＣ（ＰｏｌｙＶｉｎｙｌ  Ｃｈｌｏｒｉｄｅ）及び無毒性の非伝導ゴム類の材質のうち少なくとも一つ以上を含んで形成され、厚さは０．５ｍｍで形成され伝導性の布レイヤー（１１２）が人体の皮膚と密着する多機能治療保護帯の機能を遂行するために形成されることが望ましい。
【００１４】
また、人体接触レイヤー（１１１）の医療用ＰＶＣは塩化ビニール系樹脂１００重量部に対し可塑剤３０から８０重量部、スチルベンオキシド１から３重量部を含有して、人体接触レイヤー（１１１）の無毒性の非伝導ゴム類は弾性ゴムで硬度がＳｈｏｒｅ  Ａ  ６０以下、電気抵抗が１０１２Ω以上のものを使用し、合成ゴム、天然ゴム、またはシリコンゴムのうちのどれか一つが利用されることが望ましい。
【００１５】
また、人体非接触レイヤー（１１３）は、医療用ＰＶＣ（ＰｏｌｙＶｉｎｙｌ  Ｃｈｌｏｒｉｄｅ）及び無毒性の非伝導ゴム類の材質のうち少なくとも一つ以上を含んで形成され、厚さは人体接触レイヤー（１１１）と対照的に厚さの制限無くして形成されることが望ましい。
【００１６】
また、伝導性の布レイヤー（１１２）は、伝導性布（１１２ａ）及び銅ホイールストリップ（１１２ｂ）を含み、複数の銅ホイールストリップ（１１２ｂ）の間の伝導性布（１１２ａ）はあらかじめ設定された圧力下で維持される構造を持ち、人体負荷フィードバック制御回路モジュール（１２１）内部の比較器回路（１２１ａ）は、複数の銅ホイールストリップ（１１２ｂ）と電気的に連結された構造を持つことが望ましい。
【００１７】
また、伝導性布（１１２ａ）に対する引張負荷に伴う外力（Ｆ）の適用は伝導性布（１１２ａ）内の応力を伸張させ、伝導性布（１１２ａ）内の応力の伸張はポリマーコーティング構造の伝導性布（１１２ａ）の電気抵抗を変化させるのに伴い、比較器回路（１２１ａ）は電気抵抗の変化を電圧源を利用して測定することが望ましい。
【００１８】
上記の目的を達成するために本発明の実施例による絶縁されたフレキシブルパッチ型電極を利用した多関節高周波治療装置に基づいた人体負荷フィードバック制御による高周波治療方法は、制御部（１２０）が伝導性の布レイヤー（１１２）に対して人体負荷の適用有無を判別する人体負荷フィードバック制御回路モジュール（１２１）によって第１フレキシブルパッチ型電極部（１１０ａ）及び第２フレキシブルパッチ型電極部（１１０ｂ）のそれぞれが人体に接触しているのかどうかをリアルタイムで感知する第１段階；フィードバック制御回路モジュール（１２１）が人体負荷に該当する人体負荷の適用有無判別する第２段階；及び人体負荷が適用または未適用としての判別によりフィードバック制御回路モジュール（１２１）が第１フレキシブルパッチ型電極部（１１０ａ）及び第２フレキシブルパッチ型電極部（１１０ｂ）内部にそれぞれ構成された伝導性の布レイヤー（１１２）を通して高周波信号出力の有無を自動で制御する第３段階；を含む。
【００１９】
また、上記の第１段階は、人体負荷フィードバック制御回路モジュール（１２１）が伝導性布（１１２ａ）及び銅ホイールストリップ（１１２ｂ）を含む伝導性の布レイヤー（１１２）に対して複数の銅ホイールストリップ（１１２ｂ）の間に伝導性布（１１２ａ）はあらかじめ設定された圧力下で維持される構造での伝導性布（１１２ａ）内の応力伸張の変化に伴うポリマーコーティング構造の伝導性布（１１２ａ）の電気抵抗の変化を通じて人体に接触しているのかどうかに対する感知を遂行することが望ましい。
【００２０】
また、上記の第１段階の電気抵抗の変化感知は、人体負荷フィードバック制御回路モジュール（１２１）内の比較器回路（１２１ａ）によって遂行され、電気抵抗の変化は外力（Ｆ）によって発生する応力と関連した抵抗の変化として現れ、比較器回路（１２１ａ）は抵抗の変化を電圧源を利用して測定することが望ましい。
【００２１】
また、上記の第２段階は、フィードバック制御回路モジュール（１２１）が電気抵抗の変化があらかじめ設定された臨界値以上の場合、人体負荷の適用として判断し、電気抵抗の変化があらかじめ設定された臨界値未満の場合、人体負荷の未適用として判断することが望ましい。
【発明の効果】
【００２２】
本発明の実施例による絶縁されたフレキシブルパッチ型電極を利用した多関節高周波治療装置、そしてこれに基づいた人体負荷フィードバック制御による高周波治療方法は、フレキシブルなパッド形態の電極部で構成されることによって人体との密着度及び着用感を向上させ、医療用ＰＶＣ及び無毒性の非伝導ゴム類絶縁シートを活用して電極部の両側の絶縁を可能にすることで、人体との接触による拒否反応及び放電によるスパーク（ｓｐａｒｋ）による人体傷害を予防できる効果を提供する。
【００２３】
また、本発明の他の実施例による絶縁されたフレキシブルパッチ型電極を利用した多関節高周波治療装置、そしてこれに基づいた人体負荷フィードバック制御による高周波治療方法は、フレキシブルなパッド内部の電極部を布電極部として形成することによって、パッドの成形による形状構造を可変的に製造したり、製造後変形できるようにすることによって、人体適用の限界を克服できるようにして、どのように曲げても損傷しないようにする効果を提供する。
【００２４】
それだけでなく、本発明の他の実施例による絶縁されたフレキシブルパッチ型電極を利用した多関節高周波治療装置、そしてこれに基づいた人体負荷フィードバック制御による高周波治療方法は、人体負荷の適用有無を判別するパッドとの相互作用によって人体に接触しているのかどうかをリアルタイムで感知して高周波信号発生による多関節高周波治療に対する自動制御が可能な効果を提供する。
【図面の簡単な説明】
【００２５】
【図１】本発明の実施例による絶縁されたフレキシブルパッチ型電極を利用した多関節高周波治療装置（１）を表わした図面である。
【図２】は図１の絶縁されたフレキシブルパッチ型電極を利用した多関節高周波治療装置（１）で第１フレキシブルパッチ型電極部（１１０ａ）及び第２フレキシブルパッチ型電極部（１１０ｂ）に区分されるフレキシブルパッチ型電極部（１１０）の構造を説明するための分解斜視図である。
【図３】図１の絶縁されたフレキシブルパッチ型電極を利用した多関節高周波治療装置（１）で絶縁されたフレキシブルパッチ型電極の成形による形状構造、そして製造後可変的構造を説明するための図面である。
【図４】本発明の実施例による絶縁されたフレキシブルパッチ型電極を利用した多関節高周波治療装置（１）での人体負荷の適用有無を判別する過程を説明するための概念図である。
【図５】図１の絶縁されたフレキシブルパッチ型電極を利用した多関節高周波治療装置（１）に対する多様な変形実施例を表わす図面である。
【図６】は本発明の実施例による絶縁されたフレキシブルパッチ型電極を利用した多関節高周波治療装置（１）に基づいた人体負荷フィードバック制御による高周波治療方法を表わすフローチャートである。
【発明を実施するための形態】
【００２６】
以下、本発明の望ましい実施例の詳細な説明は添付された図面を参照して説明する。下記で本発明を説明することにおいて、関連した公示機能または構成に対する具体的な説明が本発明の要旨を不必要に曇らせることもあると判断される場合にはその詳細な説明を省略する。
【００２７】
図１は本発明の実施例による絶縁されたフレキシブルパッチ型電極を利用した多関節高周波治療装置（１）を表わす図面である。図２は図１の絶縁されたフレキシブルパッチ型電極を利用した多関節高周波治療装置（１）で第１フレキシブルパッチ型電極部（１１０ａ）及び第２フレキシブルパッチ型電極部（１１０ｂ）で区分されるフレキシブルパッチ型電極部（１１０）の構造を説明するための分解斜視図である。図３は図１の絶縁されたフレキシブルパッチ型電極を利用した多関節高周波治療装置（１）で絶縁されたフレキシブルパッチ型電極の成形に伴う形状構造、そして製造後可変的構造を説明するための図面だ。
【００２８】
図１を参照すれば、絶縁されたフレキシブルパッチ型電極を利用した多関節高周波治療装置（１）はフレキシブルパッチ型電極部（１１０）及び制御部（１２０）を含む。
【００２９】
フレキシブルパッチ型電極部（１１０）は全体的にフレキシブルするように形成され、第１フレキシブルパッチ型電極部（１１０ａ）及び第２フレキシブルパッチ型電極部（１１０ｂ）のように二つまたはそれ以上の複数個で形成されることがある。
【００３０】
一方、フレキシブルパッチ型電極部（１１０）を成す第１フレキシブルパッチ型電極部（１１０ａ）及び第２フレキシブルパッチ型電極部（１１０ｂ）のそれぞれは人体接触レイヤー（１１１）、伝導性の布レイヤー（１１２）、人体非接触レイヤー（１１３）、そして高圧ケーブル（１１４）に区分され、人体接触レイヤー（１１１）、伝導性の布レイヤー（１１２）及び人体非接触レイヤー（１１３）が順次に積層される構造を持つ。
【００３１】
人体接触レイヤー（１１１）は医療用ＰＶＣ（ＰｏｌｙＶｉｎｙｌ  Ｃｈｌｏｒｉｄｅ）及び無毒性の非伝導ゴム類の材質のうち少なくとも一つ以上を含んで形成され、厚さは０．５ｍｍで形成されることによって、伝導性の布レイヤー（１１２）が人体の皮膚と密着する多機能治療保護帯の機能を遂行するために形成される。本発明で医療用ＰＶＣは塩化ビニール系樹脂１００重量部に対し可塑剤３０から８０重量部、スチルベンオキシド１から３重量部を含有するものを使用するのが望ましい。また、無毒性の非伝導ゴム類は弾性ゴムで硬度がＳｈｏｒｅ  Ａ  ６０以下、電気抵抗が１０１２Ω以上のものを使用し、合成ゴム、天然ゴム、またはシリコンゴムのうちのどれか一つが利用されることがある。
【００３２】
更に具体的に、人体接触レイヤー（１１１）は制御部（１２０）から高圧ケーブル（１１４）を通して高周波信号を受信した伝導性の布レイヤー（１１２）による高周波信号放射が人体の皮膚を対象に遂行される時、高周波信号を通過させると同時にＰＶＣ及び無毒性の非伝導ゴム類の材質によって電気的に絶縁させる機能を遂行する。
【００３３】
伝導性の布レイヤー（１１２）は人体接触レイヤー（１１０）と人体非接触レイヤー（１１３）の間に形成され、外力によって曲げられても損傷がなくパッチ型電極の製作を容易にするために伝導性布（１１２ａ、図４参照）を利用した布の電極を具備して形成される。制御部（１２０）から高圧ケーブル（１１４）を通じて高周波信号を受信し人体接触レイヤー（１１１）を通して人体の皮膚に放射させるために形成される。伝導性の布レイヤー（１１２）は伝導性布（１１２ａ）を利用することにより、フレキシブルパッチ型電極部（１１０）を成す第１フレキシブルパッチ型電極部（１１０ａ）及び第２フレキシブルパッチ型電極部（１１０ｂ）のそれぞれが柔軟なパッチ型電極を形成することができるようにする。
【００３４】
人体非接触レイヤー（１１３）は人体接触レイヤー（１１１）と同一に医療用ＰＶＣ（ＰｏｌｙＶｉｎｙｌ  Ｃｈｌｏｒｉｄｅ）及び無毒性の非伝導ゴム類は弾性ゴム類の材質のうち少なくとも一つ以上を含んで形成され、厚さは人体接触レイヤー（１１１）と対照的に厚さの制限無く形成されることがある。
【００３５】
上述したように、人体接触レイヤー（１１１）、伝導性の布レイヤー（１１２）及び人体非接触レイヤー（１１３）が順次に積層される構造によって柔軟性を持つパッド形態のフレキシブルパッチ型電極部（１１０）を成すフレキシブルパッチ型電極部（１１０ａ）及び第２フレキシブルパッチ型電極部（１１０ｂ）がそれぞれ構成されることによって、人体との密着度及び着用感を向上させて医療用ＰＶＣ及び無毒性の非伝導ゴム類の絶縁シートが伝導性の布レイヤー（１１２）の両側の絶縁を可能にすることによって、人体との接触による拒否反応及びスパークによる傷害を減少させる効果を提供する。
【００３６】
高圧ケーブル（１１４）は伝導性の布レイヤー（１１２）と制御部（１２０）の間に形成され、伝導性の布レイヤー（１１２）からの電気的信号を制御部（１２０）に伝達する機能を遂行する。
【００３７】
制御部（１２０）は伝導性の布レイヤー（１１２）と高圧ケーブル（１１４）との間に形成され、高圧ケーブル（１１４）を伝導性の布レイヤー（１１２）の布電極に該当する伝導性布（１１２ａ）に対する駆動制御を遂行する。
【００３８】
更に具体的には、制御部（１２０）は伝導性の布レイヤー（１１２）による人体負荷の適用有無を判別する人体負荷フィードバック制御回路モジュール（１２１）を搭載することによって、第１フレキシブルパッチ型電極部（１１０ａ）及び第２フレキシブルパッチ型電極部（１１０ｂ）それぞれが人体に接触しているのかどうかをリアルタイムで感知して自動制御を遂行する。
【００３９】
また、制御部（１２０）の人体負荷フィードバック制御回路モジュール（１２１）は人体負荷の適用有無の判別を遂行して、高周波信号出力の有無を自動的に制御可能にすることによって、第１フレキシブルパッチ型電極部（１１０ａ）及び第２フレキシブルパッチ型電極部（１１０ｂ）を含むフレキシブルパッチ型電極部（１００）が多機能治療保護帯として機能して人体の多関節に適用可能な高周波治療装置を提供できるようにする。
【００４０】
図４は本発明の実施例に伴う絶縁されたフレキシブルパッチ型電極を利用した多関節高周波治療装置（１）での人体負荷の適用有無を判別するプロセスを説明するための概念図である。図４を参照すれば、伝導性の布レイヤー（１１２）は伝導性布（１１２ａ）、銅ホイールストリップ（１１２ｂ）を含む。そして複数の銅ホイールストリップ（１１２ｂ）の間に伝導性布（１１２ａ）はあらかじめ設定された圧力下で維持される構造を持つ。
【００４１】
人体負荷フィードバック制御回路モジュール（１２１）内部の比較器回路（１２１ａ）は複数の銅ホイールストリップ（１１２ｂ）と電気的に連結された構造を持つ。
【００４２】
伝導性布（１１２ａ）に対する引張負荷に伴う外力（Ｆ）の適用は伝導性布（１１２ａ）内の応力を引張させる。
【００４３】
伝導性布（１１２ａ）内の応力引張はポリマーコーティング構造の伝導性布（１１２ａ）の電気抵抗を変化させる。このような電気抵抗の変化は外力（Ｆ）によって発生する応力と関連した電気抵抗の変化として現れ、比較器回路（１２１ａ）は電気抵抗の変化を電圧源を利用して測定する。
【００４４】
図５は図１の絶縁されたフレキシブルパッチ型電極を利用した多関節高周波治療装置（１）に対する多様な変形実施例を表わした図面である。まず、図５ａは絶縁されたフレキシブルパッチ型電極を利用した多関節高周波治療装置（１）での両側絶縁の高周波プローブでフレキシブルパッチ型電極部（１１０）を成す第１フレキシブルパッチ型電極部（１１０ａ）及び第２フレキシブルパッチ型電極部（１１０ｂ）それぞれを構成した例を表わす。図５ａを参照すれば、人体接触レイヤー（１１１）及び人体非接触レイヤー（１１３）は絶縁方式（ＣＥＴ：  Ｃａｐａｃｉｔｉｖｅ  Ｅｌｅｃｔｒｉｃ  Ｔｒａｎｓｆｅｒ）によって形成され、人体接触レイヤー（１１１）は無毒性の非伝導ゴム類の材質に該当する絶縁ゴム（またはウレタン）で形成され、人体非接触レイヤー（１１３）は仕上げゴム（またはウレタン）で形成される。
【００４５】
図５ｂは絶縁されたフレキシブルパッチ型電極を利用した多関節高周波治療装置（１）での両側絶縁の高周波プローブでフレキシブルパッチ型電極部（１１０）を成す第１フレキシブルパッチ型電極部（１１０ａ）及び第２フレキシブルパッチ型電極部（１１０ｂ）それぞれを構成した例を表わす。図５ｂを参照すれば、人体接触レイヤー（１１１）及び人体非接触レイヤー（１１３）は非絶縁方式（ＲＥＴ：  Ｒｅｓｉｓｔｉｖｅ  Ｅｌｅｃｔｒｉｃ  Ｔｒａｎｓｆｅｒ）によって形成され、人体接触レイヤー（１１１）は接着力のある伝導性ゲル層で形成され、人体非接触レイヤー（１１３）は無毒性の非伝導ゴム類の材質に該当する仕上げゴム（またはウレタン）で形成される。
【００４６】
図５ｃは絶縁されたフレキシブルパッチ型電極を利用した多関節高周波治療装置（１）での振動型絶縁電極の高周波プローブでフレキシブルパッチ型電極部（１１０）を成す第１フレキシブルパッチ型電極部（１１０ａ）及び第２フレキシブルパッチ型電極部（１１０ｂ）それぞれを構成した例を表わす。
【００４７】
図５ｃを参照すれば、人体接触レイヤー（１１１）及び人体非接触レイヤー（１１３）は絶縁方式（ＣＥＴ：  ＣＣａｐａｃｉｔｉｖｅ  Ｅｌｅｃｔｒｉｃ  Ｔｒａｎｓｆｅｒ）によって形成され、人体接触レイヤー（１１１）は無毒性の非伝導ゴム類の材質に該当する絶縁ゴム（またはウレタン）で形成され、人体非接触レイヤー（１１３）は仕上げゴム（またはウレタン）で形成される。
【００４８】
そして人体非接触レイヤー（１１３）内部には印刷回路基板（１１４）、電子部品部（１１５）、そしてモーター型振動子（１１６）を形成する。
【００４９】
ここで電子部品部（１１５）はモーター型振動子（１１６）を長さ方向で二つに区分された第１電子部品部（１１５ａ）及び第２電子部品部（１１５ｂ）に細分化されて形成される。ここで本発明の一つの実施例として第１電子部品部（１１５ａ）及び第２電子部品部（１１５ｂ）はモーター型振動子（１１６）を利用して多様なウェーブ信号及び振動方式を生成するためのモジュールであり得る。
【００５０】
図６は本発明の実施例による絶縁されたフレキシブルパッチ型電極を利用した多関節高周波治療装置（１）に基づいた人体負荷フィードバック制御による高周波治療方法を表わすフローチャートである。図１から図６を参照すれば、制御部（１２０）が伝導性の布レイヤー（１１２）に対し人体負荷の適用有無を判別する人体負荷フィードバック制御回路モジュール（１２１）によって第１フレキシブルパッチ型電極部（１１０ａ）及び第２フレキシブルパッチ型電極部（１１０ｂ）それぞれが人体に接触しているのかどうかをリアルタイムで感知する（Ｓ１１）。
【００５１】
より具体的には、人体負荷フィードバック制御回路モジュール（１２１）は伝導性布（１１２ａ）及び複数の銅ホイールストリップ（１１２ｂ）を含む伝導性の布レイヤー（１１２）に対して複数の銅ホイールストリップ（１１２ｂ）の間に伝導性布（１１２ａ）はあらかじめ設定された圧力下で維持される構造で伝導性布（１１２ａ）内の応力引張変化に伴うポリマーコーティング構造の伝導性布（１１２ａ）の電気抵抗の変化を感知する。ここで電気抵抗の変化の感知は人体負荷フィードバック制御回路モジュール（１２１）内の比較器回路（１２１ａ）によって遂行され、上述した電気抵抗の変化は外力（Ｆ）によって発生する応力と関連した変化として表われるものである。結果的に、比較器回路（１２１ａ）は電気抵抗の変化を電圧源を利用して測定する。
【００５２】
段階（Ｓ１１）以後、フィードバック制御回路モジュール（１２１）は人体負荷に該当する人体負荷の適用有無を判別する（Ｓ１２）。フィードバック制御回路モジュール（１２１）は電気抵抗の変化があらかじめ設定された臨界値以上の場合、人体負荷の適用として判断し、電気抵抗の変化があらかじめ設定された臨界値未満の場合、人体負荷の未適用として判断する。
【００５３】
段階（Ｓ１２）以後、人体負荷が適用されるものと判別された場合フィードバック制御回路モジュール（１２１）が伝導性の布レイヤー（１１２）を通して高周波信号の出力の有無を自動的に制御する（Ｓ１３）。
【００５４】
以上のように、本明細書と図面には本発明の望ましい実施例に対して掲示し、特定用語が使われてはいるものの、これは単に本発明の技術内容を簡単に説明して発明の理解を助けるための一般的な意味で使われたものであって、本発明の範囲を限定しようとするものではない。ここに掲示された実施例の他にも本発明の技術的思想に土台を置いた他の変形例が実施可能だということは本発明が属する技術分野で通常の知識を持った者に自明であろう。
【符号の説明】
【００５５】
１：  絶縁されたフレキシブルパッチ型電極を利用した多関節高周波治療装置
１００：  フレキシブルパッチ型電極部
１１０ａ：  第１フレキシブルパッチ型電極部
１１０ｂ：  第２フレキシブルパッチ型電極部
１１１：  人体接触レイヤー
１１２：  伝導性の布レイヤー
１１２ａ：  伝導性布
１１２ｂ：  銅ホイールストリップ
１１３：  人体非接触レイヤー
１１４：  高圧ケーブル
１２０：  制御部
１２１：  人体負荷フィードバック制御回路モジュール
１２１ａ：  比較器回路
【図１】
2015226747.tif 000003
【図２】
2015226747.tif 000004
【図３】
2015226747.tif 000005
【図４】
2015226747.tif 000006
【図５】
2015226747.tif 000007
【図６】
2015226747.tif 000008